(57)【要約】【課題】  コンクリート基礎と比較して簡易な構造の基礎であっても、軟弱な地盤に有効であり、強風の環境下であっても横風などに対する強度を確保することができるパイプハウスを提供するものである。【解決手段】  パイプハウス１は、被覆部材７に当接する外側パイプ２１ａ，２２ａと、外側パイプ２１ａの内側に沿って配設される内側パイプ２１ｂと、緊締部材８を係止するための緊締部材止め部９１、外側パイプ２１ａ，２２ａを支持する外側支持部９２、及び内側パイプ２１ｂを支持する内側支持部９３がそれぞれ立設されるプレート部９４からなる基礎固定部９０とを備え、プレート部９４を地中に埋設し、基礎固定部９０を２つで１組のペアをなし、当該１組の基礎固定部９０間を外側パイプ２１ａ及び内側パイプ２１ｂで継合し、当該継合した外側及び内側の各パイプ間を支持リブ６で連結して構成される。【選択図】        図３
2008035809.tif 000002
【特許請求の範囲】
【請求項１】
並設した複数のアーチ状のパイプを骨組みとして被覆部材で被覆し、当該被覆部材を抑えるために緊締部材で周方向に緊締したパイプハウスであって、
前記パイプのうち、前記被覆部材に当接する外側パイプと、
前記パイプのうち、前記外側パイプの内側に沿って配設される内側パイプと、
前記緊締部材を係止するための緊締部材止め部、前記外側パイプを支持する外側支持部、及び前記内側パイプを支持する内側支持部がそれぞれ立設されるプレート部からなる基礎固定部とを備え、
前記プレート部を地中に埋設し、前記基礎固定部を２つで１組のペアをなし、当該１組の基礎固定部間を前記外側パイプ及び内側パイプで継合し、当該継合した外側及び内側の各パイプ間を支持リブで連結して構成されることを特徴とするパイプハウス。
【請求項２】
前記請求項１記載のパイプハウスにおいて、
前記１組の基礎固定部間を結ぶ前記外側パイプが前記妻面の外枠をなし、
前記対向する妻面における前記緊締部材止め部間を結ぶ係止部に、前記緊締部材を係止していることを特徴とするパイプハウス。
【請求項３】
前記請求項１又は２記載のパイプハウスにおいて、
前記１組の基礎固定部間を結ぶ前記外側パイプ及び内側パイプをほぼ平行に配設していることを特徴とするパイプハウス。
【発明の詳細な説明】
【技術分野】
【０００１】
この発明は、植物を栽培する温室や簡易倉庫等に使用されるパイプハウスに関し、特に、軟弱な地盤に有効なパイプハウスに関する。
【背景技術】
【０００２】
従来の連棟ハウスにおいては、２本のパイプ継手を並列して配置し、この両パイプ継手の間を連結板で一体に接続したダブルパイプ連結具の前記パイプ継手に、柱又は屋根を構成するパイプの端部を両側から挿着し、パイプ継手の外側からビスで固定して、パイプ継手とこの内側に挿着したパイプとを一体に接続して長手後方に順次継ぎ足して、柱と屋根を組立てることを特徴とするものである（例えば、特許文献１参照）。
【０００３】
また、従来の大型パイプハウスは、内外二重構造の柱材、屋根材及び内側柱材に支持され前記屋根材と梁材とを支持する斜材を主骨材として構成されるとともに、小屋裏軸組が、梁材と、棟部と前記梁材の中央部とを連結する小屋束と、前記屋根材と前記梁材の中央部とを連結する方丈とにより構成された大型パイプハウス構造用アーチ、及び該アーチが、適宜間隔で配設されるとともに奥行直管に緊締されている大型パイプハウス構造である（例えば、特許文献２）。
【０００４】
また、従来の仮設建築物は、ダブルフレームが、トラスで連結された平行な内方と外方のパイプを正面アーチ状に折曲げて構成され、下端にはベースプレートが取付けられている。また、ダブルフレームのベースプレートは、アンカーボルトなどで左右の基礎単体に固定されている。また、取付けワイヤーは、所定長さのワイヤー本体と、ワイヤー本体の外周を覆うシート保護用合成樹脂パイプと、ワイヤー本体の両端に連結されたワイヤー張り器と、ワイヤー張り器の先端に連結されたフックと、フレームにおけるダブルフレームのベースプレートに植設された取付け用下端係止金具から構成されている（例えば、特許文献３）。
【特許文献１】特開２０００−１８４８２５号公報（第２頁右欄第４３行−第３頁右欄第２３行、図１）
【特許文献２】特開２００３−３０６９７３号公報（第３頁左欄第４７行−第４頁右欄第６行、図２）
【特許文献３】特開２００２−１３３１８号公報（第４頁右欄第１４行−第５頁右欄第３２行、図４）
【発明の開示】
【発明が解決しようとする課題】
【０００５】
従来の連棟ハウスは、ダブルパイプの一方の基礎連結用パイプを、地中に埋設したコンクリート基礎の上に立設し、ダブルパイプの他方のパイプを地中に埋設しており、連棟ハウスを施工するには、コンクリートの基礎を作る工程があるため、組み立て作業に手間がかかるという問題点があった。特に、特許文献１の図面に示されるコンクリート基礎は、底面の面積が狭くある程度の高さをもつために、重心の位置が高い。このため、軟弱な地盤に対しては、連棟ハウスが傾斜又は沈下する恐れがあるという問題点があった。
【０００６】
また、従来の大型パイプハウスは、外側柱材の下端部が土中挿入パイプ内に嵌合固定され、該土中挿入パイプには内側柱材下端部が接合されて、土中挿入用器具にて外側柱材及び内側柱材が土中に挿入固定されているだけであるので、大型パイプハウスが強風に煽られ、土中挿入パイプが土中から引き抜ける恐れがあり、大型パイプハウスや大型パイプハウス内の植物などに被害があるという問題点があった。
【０００７】
また、従来の仮設建築物は、ダブルフレームのベースプレートが、アンカーボルトなどで左右の基礎単体に固定するなどの組み立て作業に手間がかかるという問題点があった。なお、この仮設建築物のフレームを覆うシートは、天井部分を覆う天井シート部と、左右の開口部分を残して覆う側方シート部からなり、対向する妻面にはシートを覆わない建築物である。
【０００８】
この発明は、上述のような課題を解決するためになされたもので、コンクリート基礎と比較して簡易な構造の基礎であっても、軟弱な地盤に有効であり、強風の環境下であっても横風などに対する強度を確保することができるパイプハウスを提供するものである。
【課題を解決するための手段】
【０００９】
この発明に係るパイプハウスにおいては、並設した複数のアーチ状のパイプを骨組みとして被覆部材で被覆し、当該被覆部材を抑えるために緊締部材で周方向に緊締したパイプハウスであって、前記パイプのうち、前記被覆部材に当接する外側パイプと、前記パイプのうち、前記外側パイプの内側に沿って配設される内側パイプと、前記緊締部材を係止するための緊締部材止め部、前記外側パイプを支持する外側支持部、及び前記内側パイプを支持する内側支持部がそれぞれ立設されるプレート部からなる基礎固定部とを備え、前記プレート部を地中に埋設し、前記基礎固定部を２つで１組のペアをなし、当該１組の基礎固定部間を前記外側パイプ及び内側パイプで継合し、当該継合した外側及び内側の各パイプ間を支持リブで連結して構成されるものである。
【００１０】
また、この発明に係るパイプハウスにおいては、必要に応じて、１組の基礎固定部間を結ぶ前記外側パイプが前記妻面の外枠をなし、前記対向する妻面における前記緊締部材止め部間を結ぶ係止部に、前記緊締部材を係止しているものである。
また、この発明に係るパイプハウスにおいては、必要に応じて、１組の基礎固定部間を結ぶ前記外側パイプ及び内側パイプをほぼ平行に配設しているものである。
【発明の効果】
【００１１】
この発明に係るパイプハウスにおいては、並設した複数のアーチ状のパイプを骨組みとして被覆部材で被覆し、当該被覆部材を抑えるために緊締部材で周方向に緊締したパイプハウスであって、前記パイプのうち、前記被覆部材に当接する外側パイプと、前記パイプのうち、前記外側パイプの内側に沿って配設される内側パイプと、前記緊締部材を係止するための緊締部材止め部、前記外側パイプを支持する外側支持部、及び前記内側パイプを支持する内側支持部がそれぞれ立設されるプレート部からなる基礎固定部とを備え、前記プレート部を地中に埋設し、前記基礎固定部を２つで１組のペアをなし、当該１組の基礎固定部間を前記外側パイプ及び内側パイプで継合し、当該継合した外側及び内側の各パイプ間を支持リブで連結して構成されることにより、所定の深さに掘削した地中にプレート部を配置し、プレート部上に土砂を被せるだけで、基礎固定部としてプレート部と一体となった、外側支持部、内側支持部及び緊締部材止め部を強固に地面に対して支持することができる。また、地中のプレート部上にある土砂の重量によって、外側支持部、内側支持部及び緊締部材止め部の地中からの引き抜けを抑制することができる。特に、外側支持部、内側支持部及び緊締部材止め部は、プレート部と一体となっているために、従来のパイプハウスのように、パイプ及びハウスバンドを係止する杭を単体で地面に突き立てる場合と比較して、緊締部材止め部の引き抜けを抑制している。また、アーチ状のパイプを、外側パイプ及び内側パイプを支持リブで連結して構成しているので、従来のパイプハウスのように、１本で構成されたアーチ状のパイプと比較して、パイプハウスの強度を高めることができる。
【００１２】
また、この発明に係るパイプハウスにおいては、必要に応じて、１組の基礎固定部間を結ぶ前記外側パイプが前記妻面の外枠をなし、前記対向する妻面における前記緊締部材止め部間を結ぶ係止部に、前記緊締部材を係止していることにより、対向する妻面における緊締部材止め部間の任意の位置で、緊締部材を係止することができる。
【００１３】
また、この発明に係るパイプハウスにおいては、必要に応じて、１組の基礎固定部間を結ぶ前記外側パイプ及び内側パイプをほぼ平行に配設していることにより、外側パイプ及び内側パイプを連結する支持リブの形状をほぼ同一とすることができるうえに、外側パイプ及び内側パイプ間の強度を全周に亘ってほぼ一定に保つことができる。
【発明を実施するための最良の形態】
【００１４】
（本発明の第１の実施形態）
図１（ａ）はこの発明を実施するための第１の実施形態におけるパイプハウスの概略構成を示した正面図、図１（ｂ）は図１（ａ）に示すパイプハウスの側面図、図２は図１に示すパイプハウスの構成部材である基礎固定部を示す斜視図、図３は図１に示すパイプハウスの二重アーチを説明するための部分拡大図、図４はこの発明を実施するための第１の実施形態における連棟型ハウスを説明するための部分拡大図である。
【００１５】
図１乃至図４において、パイプハウス１は、棟方向に並設した複数のアーチ状のパイプ（以下、アーチパイプ２０と称す）と、パイプハウス１の屋根面１ａ及び側面１ｂにおいてアーチパイプ２０と直交し棟方向に延在する複数の直線状のパイプ（以下、第１の直線状パイプ３と称す）と、パイプハウス１の妻面１ｃにおいて格子状に複数配置した直線状のパイプ（以下、第２の直線状パイプ４と称す）とを骨組みとしている。
【００１６】
なお、アーチパイプ２０は、複数のパイプを継合することで１つのアーチパイプ２０として構成してもよいし、１つのパイプにて構成してもよい。また、第１の直線状パイプ３及び第２の直線状パイプ４も同様である。この第１の実施形態においては、アーチパイプ２０は、湾曲した２つのパイプをパイプハウス１の天部で継合部材５によって継合している。
また、アーチパイプ２０は、後述する被覆部材７に当接する外側パイプ２１ａ，２２ａと、この外側パイプ２１ａの内側に沿って配設される内側パイプ２１ｂとに分類される。
【００１７】
なお、この第１の実施形態においては、パイプハウス１は、アーチパイプ２０として、外側パイプ２１ａ及び内側パイプ２１ｂ間を支持リブ６で連結した外側パイプ２１ａ及び内側パイプ２１ｂからなるダブルアーチパイプ２１と、外側パイプ２２ａのみからなるシングルアーチパイプ２２とを併用しているが、パイプハウス１を設置する地域の風速や降雪量などの気候条件を考慮して、ダブルアーチパイプ２１及びシングルアーチパイプ２２の本数を適宜選択することが好ましい。
【００１８】
また、支持リブ６は、対向する２枚のプレートで外側パイプ２１ａ及び内側パイプ２１ｂを挟持し、プレートの中央でボルト締めするものであり、プレートに作製した２つの溝に外側パイプ２１ａ及び内側パイプ２１ｂをそれぞれ嵌合することで、外側パイプ２１ａと内側パイプ２１ｂとを所定の間隔に保持することができる。なお、支持リブ６は、外側パイプ２１ａと内側パイプ２１ｂとの間隔を所定の間隔に保持することができれば、この構造に限られるものではない。
【００１９】
また、この第１の実施形態においては、図３に示すように、パイプハウス１の天部を対称軸として、パイプハウスの屋根部１ａとなる部分に片側３箇所、パイプハウス１の側面１ｂとなる部分に片側２箇所、それぞれ支持リブ６で連結しているが、外側パイプ２１ａと内側パイプ２１ｂとの間隔を所定の間隔に保持することができるのであれば、この位置及び個数に限られるものではない。
【００２０】
また、図１（ｂ）に示すように、第１の直線状パイプ３は、アーチパイプ２０と直交しパイプハウス１の屋根面１ａにおいて棟方向に延在するパイプ（以下、天パイプ３ａと称す）と、アーチパイプ２０と直交しパイプハウス１の側面１ｂ上方において棟方向に延在するパイプ（以下、第１の肩パイプ３ｂと称す）と、アーチパイプ２０と直交しパイプハウス１の側面１ｂ下方において棟方向に延在するパイプ（以下、裾パイプ３ｃと称す）と、アーチパイプ２０と直交し天パイプ３ａ及び第１の肩パイプ３ｂからほぼ等間隔に位置し棟方向に延在するパイプ（以下、第２の肩パイプ３ｄと称す）とから構成している。
また、これらのパイプハウス１の骨組みを被覆部材７で被覆し、被覆部材７が風でばたつくことを抑えるために、緊締部材８でパイプハウス１の周方向に被覆部材７を緊締している。
【００２１】
なお、この第１の実施形態においては、被覆部材７として、厚さが０．１３ｍｍで、素材がポリエチレン（ＰＥ）とエチレン酢酸ビニル（ＥＶＡ）をベースにした農ＰＯ（農業用ポリオレフィン系特殊フィルム）を用いているが、このフィルムに限られるものではない。例えば、他のフィルムに比べ保温性があり、主原料が塩化ビニル（ＰＶＣ）と可塑剤をベースに製造される農ビ（農業用ポリ塩化ビニル）、ポリエステル樹脂を使用した長期展張が可能な硬質フィルムであるＰＥＴフィルム（ポリエステルフィルム）、耐候性が高く汚れも付着しにくい長期展張が可能な軟質フィルムであるＦＥＴＥフィルム（フッ素フィルム）、農ＰＯ及び農ビと比較して保温性は劣るが、エチレン酢酸ビニル（ＥＶＡ）樹脂を原料とした光線透過率に優れたフィルムである農サクビ（酢酸ビニル、酢酸ビニル共重合樹脂）などが挙げられる。
また、この第１の実施形態においては、緊締部材８として、ハウスバンド 、紐 、ロープ、ワイヤーなどが挙げられる。
【００２２】
基礎固定部９０は、図２に示すように、緊締部材８を係止するための緊締部材止め部９１、外側パイプ２１ａを支持する外側支持部９２、及び内側パイプ２１ｂを支持する内側支持部９３がそれぞれ立設されるプレート部９４からなる。ここで、プレート部９４の表面において、外側支持部９２と内側支持部９３とを結んだ直線と直交する外側支持部９２を通る直線に対して、緊締部材止め部９１を外側に立設することで、緊締部材止め部９１が外側パイプ９２上に被覆した被覆部材７の内側に位置することがない。
【００２３】
なお、この第１の実施形態においては、プレート部９４は矩形状の鉄板であるが、緊締部材止め部９１、外側支持部９２及び内側支持部９３を溶接できる面積を確保し、地中に埋没させたプレート部９４上の土砂及び基礎固定部９０の重量により基礎固定部９０の引き抜けを防止できるのであれば、この形状及び材質に限られるものではない。特に、プレート部９４の面積を増加するほど、地中に埋没させたプレート部９４上の土砂の体積が増加することで、基礎固定部９０の引き抜けをより抑制することができるのであるが、その反面、プレート部９４を埋めるための掘削面積を広げ、掘削作業に手間がかかることとなる。したがって、これらを考慮して、プレート部９４の大きさ及び形状を適宜選択することが好ましい。
【００２４】
また、緊締部材止め部９１は、プレート部９４に溶接するための第１の直線部９１ａと第１の直線部９１ａに対してほぼ垂直に屈曲させた第２の直線部９１ｂとからなるＬ字形状の鉄棒であり、第２の直線部９１ｂの先端に環９１ｃを有している。なお、緊締部材止め部９１の形状は、プレート部９４に溶接するための面積及びプレート部９４と緊締部材止め部９１との固着力を確保することができるのであれば、Ｌ字形状に限られるものではないが、Ｌ字形状であれば屈曲及び溶接などの加工が容易となるので好ましい。また、第２の直線部９１ｂの先端を環９１ｃとしているが、後述する係止部１１を係止することができるのであればこの形状に限られるものではなく、例えば、フック形状であってもよい。
【００２５】
また、外側支持部９２は、ジョイント１０を挿嵌できる内径をもつ鉄パイプであり、一端をプレート部９４に溶接し、他端をジョイント１０によって外側パイプ２１ａと継合できるように開放している。内側支持部９３も同様に、ジョイント１０を挿嵌することができる内径をもつ鉄パイプであり、一端をプレート部９４に溶接し、他端をジョイント１０によって内側パイプ２１ｂと継合できるように開放している。なお、外側支持部９２及び内側支持部９３は鉄パイプを用いているが、ジョイント１０を介して外側パイプ２１ａ及び内側パイプ２１ｂと継合できるのであれば、パイプに限られるものではなく、例えば、プレート部９４に溶接しない他端のみに凹部を形成した円柱又は角柱であってもよい。
【００２６】
また、ジョイント１０は、一端が外側支持部９２又は内側支持部９３に挿嵌できる外径をもち、他端が外側パイプ２１ａ又は内側パイプ２１ｂに挿嵌できる外径をもつ直円柱形状の部材であるが、外側支持部９２又は内側支持部９３及び外側パイプ２１ａ又は内側パイプ２１ｂを継合する端部の形状に合わせて、ジョイント１０の形状を適宜選択する。
【００２７】
なお、この第１の実施形態においては、プレート部９４に溶接した外側支持部９２又は内側支持部９３の内側方向及び外側方向に対する根元の強度を高めるために、外側支持部９２及び内側支持部９３の長さ方向に直交する補強部９５を２箇所で溶接している。
【００２８】
係止部１１は、棟方向に列設させた複数の基礎固定部９０における緊締部材止め部９１間を連架する、ワイヤー、銅管、紐 、ロープなどであり、各緊締部材止め部９１の環９１ｃに洞貫、繋着又は係着する。
【００２９】
つぎに、パイプハウス１の組み立て手順について説明するが、以下の組み立て手順は一例を示したものであり、この組み立て手順に限られるものではない。また、ここでは、棟方向の長さ２０００ｃｍ、幅６００ｃｍ、側面１ｂの高さ２１０ｃｍ、屋根面１ａの高さ３４００ｃｍのパイプハウス１の組み立て手順を一例として挙げている。
【００３０】
まず、基礎固定部９０を地中に埋設するための穴を掘削する。具体的には、この第１の実施形態においては、プレート部９４の表面の広さ以上であり深さ４００ｍｍの穴を、パイプハウス１の棟方向に沿って１ｍ間隔で両側面１ｂ側の位置を揃えて掘削している。なお、この第１の実施形態においては、プレート部９４は縦４００ｍｍ×横４００ｍｍ×厚さ２．３ｍｍの鉄板であり、緊締部材止め部９１は第１の直線部９１ａの長さ４００ｍｍ、第２の直線部９１ｂの長さ５６０ｍｍ、及び環９１ｃの内径１３ｍｍのＬ字形状の鉄棒であり、外側支持部９２及び内側支持部９３は外径２５ｍｍ、長さ７７６ｍｍの鉄パイプであり、円柱状の補強部９５は外径９ｍｍ、長さ３０ｍｍの鉄棒であり、プレート部９４から２つの補強部９５までの間隔はそれぞれ１４０ｍｍ，６２０ｍｍである。
【００３１】
つぎに、基礎固定部９０を、プレート部９４の表面において、外側支持部９２と内側支持部９３とを結んだ直線が、パイプハウス１の棟方向に対してほぼ垂直となり、内側支持部９３が外側支持部９２に対して内側となるように、掘削した穴の中に配置する。
【００３２】
つぎに、掘削した穴に土砂を埋め、基礎固定部９０を地中に埋設する。この場合に、基礎固定部９０のプレート部９４には、少なくとも、縦４００ｍｍ×横４００ｍｍ×深さ４００ｍｍの体積の土砂の重量が掛かることになる。また、緊締部材止め部９１の第２の直線部９１ｂの長さは５６０ｍｍであり、外側支持部９２及び内側支持部９３の長さは７７６ｍｍであるので、緊締部材止め部９１の環９１ｃ、並びに外側支持部９２及び内側支持部９３の一端は、地面に対して突出した状態である。
【００３３】
つぎに、地面に対して突出した外側支持部９２及び内側支持部９３の一端にジョイント１０の一端を挿嵌し、ジョイント１０の他端に外側パイプ２１ａ及び内側パイプ２１ｂの一端をそれぞれ挿嵌する。なお、この第１の実施形態においては、外側パイプ２１ａ及び内側パイプ２１ｂは外径２５ｍｍの既存の農業用鋼管を用いている。
【００３４】
つぎに、外側パイプ２１ａと内側パイプ２１ｂとを支持リブ６で連結する。なお、この第１の実施形態においては、外側パイプ２１ａと内側パイプ２１ｂとの間隔をダブルアーチパイプ２０の全周に亘ってほぼ同一の間隔３０ｍｍとなるように、支持リブ６で連結している。また、ここでは、外側支持部９２及び内側支持部９３にジョイント１０を介して外側パイプ２１ａ及び内側パイプ２１ｂを継合した後に、外側パイプ２１ａと内側パイプ２１ｂとを支持リブ６で連結しているが、支持リブ６で連結した外側パイプ２１ａ及び内側パイプ２１ｂをジョイント１０を介して外側支持部９２及び内側支持部９３に継合してもよい。
【００３５】
つぎに、シングルアーチパイプ２２となる外側パイプ２２ａを、棟方向で隣り合う基礎固定部９０間に所定の本数及び間隔で地面に突き立てる。なお、この第１の実施形態においては、棟方向で隣り合う基礎固定部９０間の中央に１本の外側パイプ２２ａを突き立てている。この場合に、外側パイプ２２ａを地面に突き立てやすいように、ドリルなどによって地面に穴を開けておいてもよい。なお、この第１の実施形態においては、地面に立設したダブルアーチパイプ２１の外側パイプ２１ａとシングルアーチパイプ２２の外側パイプ２２ａとの高さを一致させるために、ドリルで深さ４００ｍｍの穴を開けている。また、この第１の実施形態においては、外側パイプ２２ａは外径２５ｍｍの既存の農業用鋼管を用いている。
【００３６】
つぎに、パイプハウス１の両側面１ｂ側に配置された対向する外側パイプ２１ａ，２２ａ及び内側パイプ２１ｂ同士を天部で継合部材５によって継合することで、アーチパイプ２０（ダブルアーチパイプ２１、シングルアーチパイプ２２）となる。ここで、従来のパイプハウスにおいては、天部で継合する際に、アーチパイプに対して下方に力が加わり、アーチパイプが所望の深さを越えて地中に減り込むことがある。これに対して、この第１の実施形態においては、外側パイプ２１ａ及び内側パイプ２１ｂは、外側支持部９２及び内側支持部９３を介してプレート部９４に繋止しており、外側パイプ２１ａ又は内側パイプ２１ｂから受ける地中に対する圧力をプレート部９４によって減少することができるために、地中におけるアーチパイプ２０の減り込みを抑制することができる。
【００３７】
以下、従来のパイプハウスの骨組みの組み立て手順と同様に、第１の肩パイプ３ｂ、第２の肩パイプ３ｄ、天パイプ３ａ及び裾パイプ３ｃを外側パイプ２１ａ，２２ａに順次取付ける。また、第２の直線状パイプ４及び図示しない骨組みを固定させる金具などの部品を用いて対向する妻面１ｃを作製することで、パイプハウス１の骨組みが完成する。なお、この第１の実施形態においては、基礎固定部９０を２つで１組のペアをなし、この１組の基礎固定部９０間を結ぶ外側パイプ２１ａが、パイプハウス１の妻面１ｃの外枠をなしている。また、この第１の実施形態に係る基礎固定部９０は、緊締部材止め部９１を一体として埋設しているために、従来のパイプハウスのように、ハウスバンドを係止するための複数の杭をパイプハウスの側面１ｂ近傍に配設する必要はない。
【００３８】
つぎに、従来のパイプハウスの被覆手順と同様に、被覆部材７を張りとめる図示しないスプリングなどの部品を用いて、パイプハウス１の骨組みに被覆部材７を被覆する。
つぎに、パイプハウス１の両側面１ｂ側において、棟方向に列設させた複数の基礎固定部９０における緊締部材止め部９１間を、係止部１１によって各緊締部材止め部９１の環９１ｃに洞貫、繋着又は係着することで連架する。なお、この第１の実施形態においては、対向する妻面１ｃにおける緊締部材止め部９１の環９１ｃには係止部１１であるパイプを係着し、対向する妻面１ｃにおける緊締部材止め部９１間に配置する残りの緊締部材止め部９１の環９１ｃには係止部１１であるパイプを洞貫することで、連架している。
【００３９】
つぎに、パイプハウス１の周方向に沿った緊締部材８をパイプハウス１の両側面１ｂ側にある係止部１１にそれぞれ係止し、被覆部材７を緊締することで、パイプハウス１が完成する。なお、緊締部材８は、隣り合うアーチパイプ２０（ダブルアーチパイプ２１、シングルアーチパイプ２２）間にパイプハウス１の棟方向とほぼ垂直に配設させてもよいし、図１（ｂ）に示すように、１本の緊締部材８によってパイプハウス１の両側面１ｂ間をジグザグに亘るように、両側面１ｂ側の係止部１１にそれぞれ係止して配設させてもよい。
【００４０】
以上のように、この発明の第１の実施形態においては、外側支持部９２、内側支持部９３及び緊締部材止め部９１をプレート部９４と一体とすることで、所定の深さに掘削した地中にプレート部９４を配置し、プレート部９４上に土砂を被せるだけで、基礎固定部９０としてプレート部９４と一体となった、外側支持部９２、内側支持部９３及び緊締部材止め部９１を強固に地面に対して支持することができる。
【００４１】
また、地中のプレート部９４上にある土砂の重量によって、外側支持部９２、内側支持部９３及び緊締部材止め部９１の地中からの引き抜けを抑制することができる。特に、外側支持部９２、内側支持部９３及び緊締部材止め部９１は、プレート部９４と一体となっているために、従来のパイプハウスのように、パイプ及びハウスバンドを係止する杭を単体で地面に突き立てる場合と比較して、緊締部材止め部９１の引き抜けを抑制している。
また、ダブルアーチパイプ２１を、外側パイプ２１ａ及び内側パイプ２１ｂを支持リブ６で連結して構成しているので、従来のパイプハウスのように、１本で構成されたアーチ状のパイプと比較して、パイプハウス１の強度を高めることができる。
【００４２】
なお、この第１の実施形態においては、パイプハウス１として単棟型ハウスを用いて説明しているが、図４に示すように、パイプハウス１を連棟型ハウスとしてもよい。この場合には、連棟型ハウスの境界に、複数の谷柱１２を棟方向に列設している。また、谷柱１２の基礎には、鉄板１３とコンクリートブロック１４とを用いており、鉄板１３に溶接した支柱１５に谷柱１２をボルト及びナットで接合している。なお、支柱１５は長さ６００ｍｍ、外径４２．７ｍｍであり、谷柱１２は外径４８．６ｍｍであり、谷柱１２の下端及び支柱１５の上端からそれぞれ長さ６０ｍｍの位置まで嵌合している。
【００４３】
また、鉄板１３は横４００ｍｍ×縦４００ｍｍ×厚さ２．３ｍｍである。また、コンクリートブロック１４は横４００ｍｍ×縦４００ｍｍ×厚さ１００ｍｍであり、鉄板１３上にコンクリートブロック１４を載せることで、谷柱１２の地中からの引き抜けを抑制することができる。また、ここでは、棟方向の長さ２０００ｃｍ、側面１ｂから谷柱までの幅６００ｃｍ、側面１ｂの高さ２００ｃｍ、屋根面１ａの高さ１４０ｃｍのパイプハウス１を一例として挙げている。
【図面の簡単な説明】
【００４４】
【図１】この発明を実施するための第１の実施形態におけるパイプハウスの概略構成図であり、（ａ）は正面図、（ｂ）は側面図である。
【図２】図１に示すパイプハウスの構成部材である基礎固定部を示す斜視図である。
【図３】図１に示すパイプハウスの二重アーチを説明するための部分拡大図である。
【図４】この発明を実施するための第１の実施形態における連棟型ハウスを説明するための部分拡大図である。
【符号の説明】
【００４５】
１      パイプハウス
１ａ    屋根面
１ｂ    側面
１ｃ    妻面
３      第１の直線状パイプ
３ａ    天パイプ
３ｂ    第１の肩パイプ
３ｃ    裾パイプ
３ｄ    第２の肩パイプ
４      第２の直線状パイプ
５      継合部材
６      支持リブ
７      被覆部材
８      緊締部材
１０      ジョイント
１１      係止部
１２      谷柱
１３      鉄板
１４      コンクリートブロック
１５      支柱
２０      アーチパイプ
２１      ダブルアーチパイプ
２１ａ，２２ａ  外側パイプ
２１ｂ    内側パイプ
２２      シングルアーチパイプ
９０      基礎固定部
９１      緊締部材止め部
９１ａ    第１の直線部
９１ｂ    第２の直線部
９１ｃ    環
９２      外側支持部
９３      内側支持部
９４      プレート部
９５      補強部
【図１】
2008035809.tif 000003
【図２】
2008035809.tif 000004
【図３】
2008035809.tif 000005
【図４】
2008035809.tif 000006